(57)【要約】【課題】雄コネクタと雌コネクタとの分離をより確実に防止することが可能なコネクタ装置を提供する。【解決手段】コネクタ装置１は、雄側接続端子２１が雄ハウジング２０内に配置された雄コネクタ２と、雌側接続端子３１が雌ハウジング３０内に配置された雌コネクタ３と、雄ハウジング２０と雌ハウジング３０との嵌合により第１位置から第２位置への移動が可能となり、第２位置への移動によって雄ハウジング２０と雌ハウジング３０との離脱を規制するＣＰＡ４と、ＣＰＡ４が第２位置にあるとき、ＣＰＡ４の第２位置から第１位置への移動を規制するボルト５とを備える。【選択図】図１Ａ
2013171756.tif 000002
【特許請求の範囲】
【請求項１】
雄側接続端子が雄ハウジング内に配置された雄コネクタと、
雌側接続端子が雌ハウジング内に配置された雌コネクタと、
前記雄ハウジングと前記雌ハウジングとの嵌合により第１位置から第２位置への移動が可能となり、前記第２位置への移動によって前記雄ハウジングと前記雌ハウジングとの離脱を規制する離脱規制部材と、
前記離脱規制部材が前記第２位置にあるとき、前記離脱規制部材の前記第２位置から前記第１位置への移動を規制する移動規制部材と
を備えたコネクタ装置。
【請求項２】
前記移動規制部材は、前記離脱規制部材が前記第２位置にあるときに前記雌ハウジングに固定されて前記離脱規制部材の前記第１位置への移動を規制し、前記離脱規制部材が前記第１位置にあるときには、前記雌ハウジングへの固定が不能である、
請求項１に記載のコネクタ装置。
【請求項３】
前記移動規制部材は、螺旋状のねじ山が形成された軸部と、前記軸部に回転力を付与するための頭部とを有し、
前記離脱規制部材は、前記軸部を挿通させる挿通孔を有し、
前記雌ハウジングは、前記軸部が螺合するねじ穴を、前記離脱規制部材が前記第２位置にあるときに前記挿通孔と連通する位置に有する、
請求項２に記載のコネクタ装置。
【請求項４】
前記ねじ穴は、前記雌ハウジングに保持された金属製のナット部材に形成されている、
請求項３に記載のコネクタ装置。
【請求項５】
前記移動規制部材は、前記頭部の形状が、汎用工具による回転力の付与を阻止し得る形状である、
請求項３又は４に記載のコネクタ装置。
【発明の詳細な説明】
【技術分野】
【０００１】
本発明は、雄コネクタと雌コネクタとを有してなるコネクタ装置に関し、特に雄コネクタと雌コネクタとの離間を規制する機構を備えたコネクタ装置に関する。
【背景技術】
【０００２】
従来、雄コネクタ及び雌コネクタのハウジング同士の嵌合により移動可能となり、この移動によって雄コネクタと雌コネクタとの離間を規制するＣＰＡ（Connector Position Assurance：コネクタ位置保証部材）を備えたコネクタ装置が知られている（例えば、特許文献１〜３参照）。
【０００３】
特許文献１〜３に記載のＣＰＡは、雌コネクタのハウジングに保持され、雄コネクタのハウジングと雌コネクタのハウジングとの嵌合が完全になされたときに雌コネクタのハウジングに対して移動可能となり、この移動によって雄コネクタと雌コネクタとの離間を規制する。つまり、ハウジング同士の嵌合が完全になされなければＣＰＡを移動させることができないので、ＣＰＡの移動によってハウジング同士の嵌合が十分になされたことを保証すると共に、不用意なハウジングの離脱を規制することが可能となる。
【先行技術文献】
【特許文献】
【０００４】
【特許文献１】特開平１０−１７７８７６号公報
【特許文献２】特開２００８−１３０５４６号公報
【特許文献３】特開２００９−３０１７７５号公報
【発明の概要】
【発明が解決しようとする課題】
【０００５】
上記のように、不用意なハウジングの離脱はＣＰＡによって規制されるものの、ＣＰＡ自体が移動した場合にはハウジング同士が離脱可能な状態となってしまう。例えば、車両の走行用のモータに駆動電流を供給するための電線を接続するコネクタ装置の場合には、雄コネクタと雌コネクタとが分離されることで、ハウジングに保持された接続端子に外部から接触可能な状態となるため、安全上問題となり得る。
【０００６】
そこで、本発明は、雄コネクタと雌コネクタとの分離をより確実に防止することが可能なコネクタ装置を提供することを目的とする。
【課題を解決するための手段】
【０００７】
本発明は、上記課題を解決することを目的として、雄側接続端子が雄ハウジング内に配置された雄コネクタと、雌側接続端子が雌ハウジング内に配置された雌コネクタと、前記雄ハウジングと前記雌ハウジングとの嵌合により第１位置から第２位置への移動が可能となり、前記第２位置への移動によって前記雄ハウジングと前記雌ハウジングとの離脱を規制する離脱規制部材と、前記離脱規制部材が前記第２位置にあるとき、前記離脱規制部材の前記第２位置から前記第１位置への移動を規制する移動規制部材とを備えたコネクタ装置を提供する。
【０００８】
また、前記移動規制部材は、前記離脱規制部材が前記第２位置にあるときに前記雌ハウジングに固定されて前記離脱規制部材の前記第１位置への移動を規制し、前記離脱規制部材が前記第１位置にあるときには、前記雌ハウジングへの固定が不能であるとよい。
【０００９】
また、前記移動規制部材は、螺旋状のねじ山が形成された軸部と、前記軸部に回転力を付与するための頭部とを有し、前記離脱規制部材は、前記軸部を挿通させる挿通孔を有し、前記雌ハウジングは、前記軸部が螺合するねじ穴を、前記離脱規制部材が前記第２位置にあるときに前記開口と連通する位置に有するとよい。
【００１０】
また、前記ねじ穴は、前記雌ハウジングに保持された金属製のナット部材に形成されているとよい。
【００１１】
また、前記移動規制部材は、前記頭部の形状が、汎用工具による回転力の付与を阻止し得る形状であるとよい。
【発明の効果】
【００１２】
本発明に係るコネクタ装置によれば、雄コネクタと雌コネクタとの分離をより確実に防止することが可能となる。
【図面の簡単な説明】
【００１３】
【図１Ａ】本実施の形態に係るコネクタ装置を示し、（ａ）は平面図、（ｂ）は正面図、（ｃ）は左側面図、（ｄ）は右側面図、（ｅ）は下面図である。
【図１Ｂ】（ｆ）は図１Ａ（ｃ）のＡ−Ａ線断面図、（ｇ）は図１Ａ（ｃ）のＢ−Ｂ線断面図、（ｈ）は図１Ａ（ｃ）のＣ−Ｃ線断面図である。
【図２Ａ】雄コネクタを示し、（ａ）は平面図、（ｂ）は正面図、（ｃ）は左側面図、（ｄ）は右側面図、（ｅ）は下面図である。
【図２Ｂ】（ｆ）は図２Ａの（ｃ）のＦ−Ｆ線断面図、（ｇ）は図２Ａの（ｃ）のＧ−Ｇ線断面図である。
【図３Ａ】雌コネクタ及びＣＰＡを示し、（ａ）は平面図、（ｂ）は正面図、（ｃ）は左側面図、（ｄ）は右側面図、（ｅ）は下面図である。
【図３Ｂ】（ｆ）は図３Ａの（ｃ）のＨ−Ｈ線断面図、（ｇ）は図３Ａの（ｃ）のＩ−Ｉ線断面図である。
【図４】（ａ）は雌コネクタ及びＣＰＡを示す斜視図、（ｂ）は雌コネクタ及びＣＰＡをボルトと共に示す分解斜視図である。
【図５】ＣＰＡを示し、（ａ）は平面図、（ｂ）は正面図、（ｃ）は左側面図、（ｄ）は右側面図、（ｅ）は下面図、（ｆ）は（ｃ）のＬ−Ｌ線断面図、（ｇ）は（ｃ）のＭ−Ｍ線断面図である。
【図６】（ａ）は図３Ｂ（ｇ）のＫ部の拡大図、（ｂ）は図３Ｂ（ｆ）のＪ部の拡大図である。
【図７】（ａ）は図１Ｂ（ｇ）のＥ部の拡大図、（ｂ）は図１Ｂ（ｆ）のＤ部の拡大図である。
【図８】雄ハウジングと雌ハウジングとが嵌合し、ボルトが雌ハウジングに固定された状態を示す斜視図である。
【図９】ボルトを示す斜視図である。
【図１０】係合部の形状の変形例を示す図であり、（ａ）は比較のために図９に示すボルトの形状を示す平面図、（ｂ）〜（ｆ）は係合部の形状の変形例を示す平面図である。
【発明を実施するための形態】
【００１４】
［実施の形態］
（コネクタ装置の構成）
図１Ａ，Ｂは、本実施の形態に係るコネクタ装置１を示し、（ａ）は平面図、（ｂ）は正面図、（ｃ）は左側面図、（ｄ）は右側面図、（ｅ）は下面図、（ｆ）は（ｃ）のＡ−Ａ線断面図、（ｇ）は（ｃ）のＢ−Ｂ線断面図、（ｈ）は（ｃ）のＣ−Ｃ線断面図である。
【００１５】
このコネクタ装置１は、雄コネクタ２と、雌コネクタ３と、離脱規制部材としてのＣＰＡ４と、移動規制部材としてのボルト５とを有して構成されている。図１Ａ，Ｂでは、雄コネクタ２と雌コネクタ３が結合し、雄コネクタ２と雌コネクタ３との離間がＣＰＡ４及びボルト５によって規制されている状態を示している。
【００１６】
雄コネクタ２は、雄ハウジング２０と、雄ハウジング２０内に配置された雄側接続端子２１とを有している。雌コネクタ３は、雌ハウジング３０と、雌ハウジング３０内に配置された雌側接続端子３１とを有している。雄ハウジング２０及び雌ハウジング３０は、ＰＢＴ（ポリブチレンテレフタレート）等の絶縁性の樹脂からなる。
【００１７】
本実施の形態では、複数（２つ）の雄側接続端子２１が雄ハウジング２０内に配置され、これら複数の雄側接続端子２１にそれぞれ対応する複数（２つ）の雌側接続端子３１が雌ハウジング３０内に配置されている。雄側接続端子２１は、その先端部が例えば板状であり、雄ハウジング２０と雌ハウジング３０との嵌合時に、雄側接続端子２１の先端部が雌側接続端子３１の筒状の先端部に収容される。
【００１８】
複数の雄側接続端子２１は、複数の電線２２の端部にそれぞれ接続され、複数の雌側接続端子３１は、複数の電線３２の端部にそれぞれ接続されている。複数の電線２２と複数の電線３２とは、雄ハウジング２０と雌ハウジング３０との嵌合に伴う雄側接続端子２１と雌側接続端子３１との接触により電気的に接続される。電線２２及び電線３２は、例えば車両に搭載された電装品（空調装置やシートヒータ等）に電力を供給する電源線として用いられる。
【００１９】
（雄コネクタの構成）
図２Ａ，Ｂは、雄コネクタ２を示し、（ａ）は平面図、（ｂ）は正面図、（ｃ）は左側面図、（ｄ）は右側面図、（ｅ）は下面図、（ｆ）は（ｃ）のＦ−Ｆ線断面図、（ｇ）は（ｃ）のＧ−Ｇ線断面図である。
【００２０】
雄ハウジング２０は、雌ハウジング３０との嵌合時に雌ハウジング３０に収容される部分の外周面２０ａに、３つの突起２００〜２０２が形成されている。これらの突起２００〜２０２は、雌ハウジング３０への嵌合方向に平行な外周面２０ａに対して直交する方向に突出している。突起２００は、雄ハウジング２０の幅方向の中央部に形成され、この突起２００を幅方向の両側から挟むように、突起２０１，２０２が形成されている。また、突起２００〜２０２は、雌ハウジング３０への嵌合方向における先端側の面が、外周面２０ａに対して傾斜した傾斜面で形成されている。
【００２１】
（雌コネクタ、ＣＰＡ、及びボルトの構成）
図３Ａ，Ｂは、雌コネクタ３及びＣＰＡ４を示し、（ａ）は平面図、（ｂ）は正面図、（ｃ）は左側面図、（ｄ）は右側面図、（ｅ）は下面図、（ｆ）は（ｃ）のＨ−Ｈ線断面図、（ｇ）は（ｃ）のＩ−Ｉ線断面図である。図３Ａ，Ｂでは、ＣＰＡ４が初期位置である第１位置にある状態を示している。
【００２２】
図４（ａ）は雌コネクタ３及びＣＰＡ４を示す斜視図、（ｂ）は雌コネクタ３及びＣＰＡ４をボルト５と共に示す分解斜視図である。また、図５は、ＣＰＡ４を示し、（ａ）は平面図、（ｂ）は正面図、（ｃ）は左側面図、（ｄ）は右側面図、（ｅ）は下面図、（ｆ）は（ｃ）のＬ−Ｌ線断面図、（ｇ）は（ｃ）のＭ−Ｍ線断面図である。
【００２３】
ＣＰＡ４は、雌ハウジング３０に移動可能に保持されている。より詳細には、ＣＰＡ４は、雌ハウジング３０に保持された状態で、雄ハウジング２０と雌ハウジング３０との嵌合方向に対して平行な方向に沿って、雌ハウジング３０に対して相対移動可能である。
【００２４】
図４及び図５に示すように、ＣＰＡ４は、ボルト５を挿通させる丸孔からなる挿通孔４０ａが形成された固定部４０と、固定部４０の一側面から互いに平行に延出した一対の棒状の腕部４１，４２と、腕部４１，４２の先端側で腕部４１と腕部４２とを連結する板状の連結部４３とを一体に有している。固定部４０、腕部４１，４２、及び連結部４３は、矩形状の開口４ａを形成している。
【００２５】
固定部４０には、開口４ａの中心部に向かって、雄ハウジング２０と雌ハウジング３０との嵌合方向に平行な方向に突出した突片４０１が形成されている。また、腕部４１，４２の先端には、腕部４１，４２の延伸方向に対して直交する方向に突き出た突起４１ａ，４２ａが形成されている（図５（ｅ）等参照）。またさらに、腕部４１，４２の延伸方向における中央部には、開口４ａとは反対側に向かって突き出た脱落防止用突起４１ｂ，４２ｂが形成されている。この脱落防止用突起４１ｂ，４２ｂは、ＣＰＡ４が雌ハウジング３０から脱落することを防止している。
【００２６】
雌ハウジング３０は、雄ハウジング２０との嵌合方向に対して平行な一対の案内溝３０ａ，３０ｂを内面に有している。この一対の案内溝３０ａ，３０ｂには、ＣＰＡ４の脱落防止用突起４１ｂ，４２ｂを含む腕部４１，４２の一部が収容されている。腕部４１，４２の案内溝３０ａ，３０ｂからの抜け出しは、脱落防止用突起４１ｂ，４２ｂが案内溝３０ａ，３０ｂの端部に当接することによって防止されている。
【００２７】
また、雌ハウジング３０は、雄ハウジング２０との嵌合によりロック状態となり、雄ハウジング２０の突起２００（図２Ａ，Ｂに示す）に係合することで雄ハウジング２０の離脱を抑止するロック部３０１を有している。ロック部３０１は、その一部がＣＰＡ４の開口４ａを介して外部に露出している。ロック部３０１の詳細については後述する。
【００２８】
また、雌ハウジング３０は、保持部３０２（図４（ｂ）に示す）に保持されたナット部材３３を有している。ナット部材３３は、例えばニッケル合金やステンレス等の金属からなる。ナット部材３３には、雄ハウジング２０と雌ハウジング３０との嵌合方向に対して直交する方向に沿って、ねじ穴３３ａが形成されている。本実施の形態では、ナット部材３３が直方体状であり、コ字状に形成された保持部３０２に保持されている。ナット部材３３の保持部３０２からの抜け出しは、ＣＰＡ４の固定部４０によって防止されている。
【００２９】
ボルト５は、図４（ｂ）に示すように、軸部５０と、軸部５０に回転力を付与するための頭部５１とを一体に有している。軸部５０はナット部材３３のねじ穴３３ａに適合する外径を有し、ねじ穴３３ａに螺合可能である。
【００３０】
次に、雌コネクタ３、ＣＰＡ４、及びボルト５のより詳細な構成について、図６〜図９を参照して説明する。
【００３１】
図６（ａ）は図３Ｂ（ｇ）のＫ部の拡大図、図６（ｂ）は図３Ｂ（ｆ）のＪ部の拡大図である。
【００３２】
図６（ａ）に示すように、ＣＰＡ４が第１位置（初期位置）にあるときは、挿通孔４０ａの中心軸がナット部材３３のねじ穴３３ａの中心軸よりも後退した位置にあり、挿通孔４０ａを介してねじ穴３３ａにボルト５の軸部５０を挿入できない状態となっている。
【００３３】
雌ハウジング３０のロック部３０１は、雌ハウジング３０を構成する樹脂の弾性に基づいて、支点３０１ｃを中心として揺動可能である。ロック部３０１は、一方の端部に押圧部３０１ａが形成され、他方の端部に係合部３０１ｂが形成されている。押圧部３０１ａは、ＣＰＡ４の開口４ａを介して外部に露出している。係合部３０１ｂは、押圧部３０１ａとの間に支点３０１ｃを挟む位置に形成されている。
【００３４】
ロック部３０１は、押圧部３０１ａを外部から押圧することで、係合部３０１ｂが雌ハウジング３０の外方に向かって変位するように、また、係合部３０１ｂが雌ハウジング３０の外方に向かって変位する力を受けると、押圧部３０１ａが雌ハウジング３０の内方に向かって変位するように、構成されている。
【００３５】
ＣＰＡ４が第１位置にあるときは、押圧部３０１ａが雌ハウジング３０の内方に向かって変位しても、押圧部３０１ａとＣＰＡ４の突片４０１とが干渉しない。つまり、ＣＰＡ４が第１位置にあるときは、ロック部３０１の揺動がＣＰＡ４によって規制されていない。
【００３６】
また、案内溝３０ａ，３０ｂに沿ったＣＰＡ４の移動は、図６（ｂ）に示すように、ＣＰＡ４の突起４１ａが案内溝３０ａに形成された突起３００ａに当接すると共に、突起４２ａが案内溝３０ｂに形成された突起３００ｂ（図３Ａ（ｃ）に示す）に当接することによって規制されている。
【００３７】
図７（ａ）は図１Ｂ（ｇ）のＥ部の拡大図、図７（ｂ）は図１Ｂ（ｆ）のＤ部の拡大図である。図８は、雄ハウジング２０と雌ハウジング３０とが嵌合し、ボルト５が雌ハウジング３０に固定された状態を示す斜視図である。
【００３８】
ＣＰＡ４は、雄ハウジング２０と雌ハウジング３０との嵌合により、図６に示す第１位置から図７に示す第２位置への移動が可能となる。雄ハウジング２０と雌ハウジング３０との間は、環状のシール部材３４によって封止される。このＣＰＡ４の第２位置への移動は、雄ハウジング２０に形成された突起２０１，２０２にＣＰＡ４の突起４１ａ，４２ａが乗り上げ、案内溝３０ａ，３０ｂに形成された突起３００ａ，３００ｂを突起４１ａ，４２ａが乗り越えることにより可能となる。
【００３９】
より具体的には、雌ハウジング３０に雄ハウジング２０が嵌合されると、突起２０１の傾斜面２０１ａによってＣＰＡ４の突起４１ａが雌ハウジング３０の外方（図７（ｂ）の上方）に変位し、突起４１ａと突起３００ａとが干渉しない状態となる。また同様に、雄ハウジング２０の突起２０２によってＣＰＡ４の突起４２ａが雌ハウジング３０の外方に変位し、突起４２ａと突起３００ｂとが干渉しない状態となる。
【００４０】
そして、この状態でＣＰＡ４が案内溝３０ａ，３０ｂに沿って雌ハウジング３０内に押し込まれると、図７（ｂ）に示すように、突起４１ａ，４２ａが、突起２０１，２０２と共に突起３００ａ，３００ｂを乗り越え、ＣＰＡ４が第２位置に移動する。
【００４１】
このＣＰＡ４の第２位置への移動により、図７（ａ）に示すように、雌ハウジング３０のロック部３０１の係合部３０１ｂが雄ハウジング２０の突起２００と係合する。より具体的には、係合部３０１ｂが突起２００の傾斜面２００ａに沿って雌ハウジング３０の外方に変位し、係合部３０１ｂが突起２００を乗り越えると、係合部３０１ｂと突起２００とが互いに係合する。この係合により、雄ハウジング２０と雌ハウジング３０との離脱が規制される。
【００４２】
係合部３０１ｂと突起２００との係合は、押圧部３０１ａが雌ハウジング３０の内方に向かって変位し、ロック部３０１が揺動すれば解除され得るが、押圧部３０１ａが雌ハウジング３０の内方への変位は、ＣＰＡ４の突片４０１との干渉によって規制されている。これにより、ＣＰＡ４を第１位置に戻すには、ロック部３０１を弾性変形させる程度の強い力をＣＰＡ４に加えるか、又は案内溝３０ａ，３０ｂの一端（ＣＰＡ４とは反対側の端部）から雌ハウジング３０内に工具を挿入して係合部３０１ｂと突起２００との係合を解除する等の作業が必要となる。
【００４３】
また、ＣＰＡ４の第２位置への移動により、挿通孔４０ａの中心軸とナット部材３３のねじ穴３３ａの中心軸とが一致して、挿通孔４０ａとねじ穴３３ａとが連通し、挿通孔４０ａを介してねじ穴３３ａにボルト５の軸部５０を挿入することができる状態となる。換言すれば、ねじ穴３３ａは、ＣＰＡ４が第２位置にあるときに挿通孔４０ａと連通する位置に形成されている。
【００４４】
ボルト５は、軸部５０がナット部材３３のねじ穴３３ａに螺合することで、雌ハウジング３０に固定される。この際、ボルト５の頭部５１は、少なくともその一部がＣＰＡ４の挿通孔４０ａに収容され、ＣＰＡ４の第１位置への移動を規制する。
【００４５】
図９は、ボルト５を示す斜視図である。ボルト５は、円柱状の軸部５０の外周面に螺旋状のねじ山５０ａが形成されている。頭部５１は、軸部５０よりも大径の外周面５１ｂ及び平面状の端面５１ａを有する円板状であり、端面５１ａの中心部に図略の工具が係合する係合部５１０が形成されている。
【００４６】
係合部５１０は、汎用工具による回転力の付与を阻止し得る形状である。ここで、汎用工具とは、例えばプラスドライバ（十字ねじ回し：ＪＩＳＢ４６３３参照）、マイナスドライバ（すりわり付きねじ用ねじ回し：ＪＩＳＢ４６０９参照）、又は六角レンチ（六角棒スパナ：ＪＩＳＢ４６４８参照）等、工具先端部を被回動部材に形成された穴に差し込んで使用する工具、あるいはプライヤ等の対象物を挟持可能な工具であって、容易に入手可能なものをいう。本実施の形態では、係合部５１０が四角形状の角穴からなる。
【００４７】
なお、係合部５１０の形状は、図９に例示したものに限らず、汎用工具による回転力の付与を阻止し得る形状であればよい。
【００４８】
図１０は、係合部５１０の形状の変形例を示す図であり、（ａ）は比較のために図９に示したボルト５の係合部５１０の形状を示す平面図、（ｂ）〜（ｆ）は係合部の形状の変形例を示す平面図である。
【００４９】
図１０（ｂ）は、第１の変形例に係るボルト５Ａを示す。このボルト５Ａは、頭部５１の端面５１ａに垂直な方向からの平面視において、係合部５１０Ａが三角形状の穴に形成されている。
【００５０】
図１０（ｃ）は、第２の変形例に係るボルト５Ｂを示す。このボルト５Ｂは、頭部５１の端面５１ａに垂直な方向からの平面視において、係合部５１０Ｂが五角形状の穴に形成されている。
【００５１】
図１０（ｄ）は、第３の変形例に係るボルト５Ｃを示す。このボルト５Ｃは、頭部５１の端面５１ａに垂直な方向からの平面視において、係合部５１０Ｃが６つの頂点を有する星形状の穴に形成されている。
【００５２】
図１０（ｅ）は、第４の変形例に係るボルト５Ｄを示す。このボルト５Ｄは、頭部５１の端面５１ａに垂直な方向からの平面視において、係合部５１０Ｄが８つの頂点を有する星形状の穴に形成されている。
【００５３】
図１０（ｆ）は、第５の変形例に係るボルト５Ｅを示す。このボルト５Ｅは、頭部５１の端面５１ａに垂直な方向からの平面視において、係合部５１０Ｅが頭部５１の外周部に形成された複数（３つ）の切欠き部からなる。
【００５４】
これらのボルト５，５Ａ〜５Ｅは、係合部５１０，５１０Ａ〜５１０Ｅの形状に対応した専用工具によって回動させることが可能である。
【００５５】
（実施の形態の作用及び効果）
以上説明した本実施の形態によれば、以下のような作用及び効果が得られる。
【００５６】
（１）ＣＰＡ４の第２位置から第１位置への移動がボルト５によって規制されるので、ボルト５を固定しない場合に比較して、雄コネクタ２と雌コネクタ３との分離をより確実に防止することが可能となる。
【００５７】
（２）ＣＰＡ４が第１位置にあるときには、ボルト５を雌ハウジング３０に固定することができないので、ＣＰＡ４が第２位置に移動しているか否かを、ボルト５を固定できるか否かによって判断することができる。つまり、ＣＰＡ４が第２位置にない場合には、ボルト５の軸部５０をナット部材３３のねじ穴３３ａを挿入することができず、又はボルト５の頭部５１をＣＰＡ４の固定部４０における挿通孔４０ａに収容することができないので、ボルト５を固定することができない。これにより、ボルト５を固定する作業を行う作業者は、ＣＰＡ４が第１位置にある場合、又は第２位置への移動が不完全である場合には、ボルト５を固定することができないことによってこれを検知し、ＣＰＡ４を第２位置に移動させた後に、ボルト５を固定することができる。このため、ＣＰＡ４が確実に第２位置に移動した状態で、ボルト５によるＣＰＡ４の移動規制が行われる。
【００５８】
（３）ボルト５は、ナット部材３３に螺合することにより固定されるので、例えばスナップリング等の弾性部材によってＣＰＡ４を固定する場合に比較して、電線２２又は電線３２が引っ張られた場合等に不用意に外れることが抑制される。
【００５９】
（４）ボルト５の軸部５０が螺合するねじ穴３３ａは、雌ハウジング３０の樹脂ではなく、保持部３０２に保持された金属製のナット部材３３に形成されているので、雌ハウジング３０の樹脂部にねじ穴３３ａを形成した場合に比較して、より確実にボルト５を固定することができる。
【００６０】
（５）ボルト５は、頭部５１における係合部５１０の形状が、汎用工具による回動を阻止し得る形状であるので、コネクタ装置１の分離作業を行うことが予定されていない使用者（例えば、コネクタ装置１が搭載された車両の使用者）によって分離作業が行われることを回避し得、感電や短絡等を未然に防ぎ得る。
【００６１】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６２】
また、本発明は、その趣旨を逸脱しない範囲で適宜変形して実施することが可能である。例えば、上記実施の形態では、電線２２，３２がそれぞれ２本である場合について説明したが、これに限らず、電線２２，３２は、各１本又は各３本以上であってもよい。
【００６３】
雄コネクタ２、雌コネクタ３、ＣＰＡ４、ボルト５等の形状や構成も、上記実施の形態に具体的に示したものに限らない。
【符号の説明】
【００６４】
１…コネクタ装置、２…雄コネクタ、３…雌コネクタ、４…ＣＰＡ（離脱規制部材）、４ａ…開口、５，５Ａ〜５Ｅ…ボルト（移動規制部材）、２０…雄ハウジング、２０ａ…外周面、２１…雄側接続端子、２２…電線、３０…雌ハウジング、３０ａ，３０ｂ…案内溝、３１…雌側接続端子、３２…電線、３３…ナット部材、３３ａ…ねじ穴、３４…シール部材、４０…固定部、４０ａ…挿通孔、４１，４２…腕部、４１ａ，４２ａ…突起、４１ｂ，４２ｂ…脱落防止用突起、４３…連結部、５０…軸部、５０ａ…ねじ山、５１…頭部、５１ａ…端面、５１ｂ…外周面、２００，２０１，２０２…突起、２００ａ，２０１ａ…傾斜面、３００ａ，３００ｂ…突起、３０１…ロック部、３０１ａ…押圧部、３０１ｂ…係合部、３０１ｃ…支点、３０２…保持部、４０１…突片、５１０，５１０Ａ〜５１０Ｅ…係合部
【図１Ａ】
2013171756.tif 000003
【図１Ｂ】
2013171756.tif 000004
【図２Ａ】
2013171756.tif 000005
【図２Ｂ】
2013171756.tif 000006
【図３Ａ】
2013171756.tif 000007
【図３Ｂ】
2013171756.tif 000008
【図４】
2013171756.tif 000009
【図５】
2013171756.tif 000010
【図６】
2013171756.tif 000011
【図７】
2013171756.tif 000012
【図８】
2013171756.tif 000013
【図９】
2013171756.tif 000014
【図１０】
2013171756.tif 000015